(57)【要約】撮像部による撮影に関する設定を、ユーザに応じた自動的な設定に自動的に行うことができる、撮像システム、情報処理装置、サーバ装置、情報処理方法、及び情報処理プログラムを提供する。撮像システム１０は、撮像装置１２により撮影を行うユーザに関する属性情報と、撮像装置１２による撮影に関する設定を表す設定情報とを、予め定められたタイミングで送信する送信部７０を備えた情報処理装置１４と、属性情報及び設定情報の組合せを複数組受信し、複数組の属性情報及び設定情報に基づいて、属性情報と設定情報との組合せの統計処理を行う処理部９２を備えたサーバ装置１６と、推奨設定情報の導出の対象となる属性情報に対応する推奨設定情報を、処理部９２による統計処理結果から導出する導出部９４と、導出部９４が導出した推奨設定情報を、撮像装置１２による撮影に関する設定情報として撮像装置１２に設定する設定部７４とを備える。
2019082654.tif 000002
【特許請求の範囲】
【請求項１】
撮像部により撮影を行うユーザに関する属性情報と、前記撮像部による撮影に関する設定を表す設定情報とを、予め定められたタイミングで送信する送信部を備えた情報処理装置と、
前記属性情報及び前記設定情報の組合せを複数組受信し、複数組の前記属性情報及び前記設定情報に基づいて、前記属性情報と前記設定情報との組合せの統計処理を行う処理部を備えたサーバ装置と、
推奨値の導出の対象となる属性情報に対応する前記設定情報の推奨値を、前記サーバ装置の前記処理部による統計処理結果から導出する導出部と、
前記導出部が導出した前記推奨値を、前記撮像部による撮影に関する前記設定情報として設定する設定部と、
を備えた撮像システム。
【請求項２】
前記送信部は、前記設定情報の初期設定を行う場合、前記推奨値の導出の対象となる属性情報を送信する、
請求項１に記載の撮像システム。
【請求項３】
前記属性情報は、前記撮影に関してユーザが行った操作の履歴から得られる特徴量を含む、
請求項１または請求項２に記載の撮像システム。
【請求項４】
前記撮像部による撮影に関する設定がユーザにより変更されてから予め定められた期間内、前記推奨値を設定するか否かをユーザが指示するための情報を、表示する表示部をさらに備える、
請求項１から請求項３のいずれか１項に記載の撮像システム。
【請求項５】
前記設定部は、前記撮像部の撮影に関する設定がユーザにより変更されてから予め定められた期間内は、前記推奨値の設定を行わない、
請求項１から請求項３のいずれか１項に記載の撮像システム。
【請求項６】
前記設定部は、前記推奨値が、前記設定情報と異なる場合は、前記推奨値を設定し、前記撮像部の撮影に関する設定情報と同一の場合は、前記推奨値の設定を行わない、
請求項１から請求項５のいずれか１項に記載の撮像システム。
【請求項７】
前記処理部は、前記撮影を行う頻度が予め定められた頻度よりも低いユーザに関する前記属性情報と前記設定情報との組合せの重みを、他のユーザに関する前記属性情報と前記設定情報との組合せよりも低くして統計処理を行う、
請求項１から請求項６のいずれか１項に記載の撮像システム。
【請求項８】
前記予め定められたタイミングは、前記撮像部による撮影に応じた累積量に基づくタイミングである、
請求項１から請求項７のいずれか１項に記載の撮像システム。
【請求項９】
前記導出部は、前記サーバ装置に備えられている、
請求項１から請求項８のいずれか１項に記載の撮像システム。
【請求項１０】
前記導出部は、前記情報処理装置に備えられている、
請求項１から請求項８のいずれか１項に記載の撮像システム。
【請求項１１】
前記属性情報は、ユーザの身体的な特徴に応じた情報、ユーザの性別に応じた情報、ユーザの年齢に応じた情報、及びユーザに関する地域性に応じた情報の少なくとも１つを含む、
請求項１から請求項１０のいずれか１項に記載の撮像システム。
【請求項１２】
撮像部により撮影を行うユーザに関する属性情報と、前記撮像部による撮影に関する設定を表す設定情報とを、予め定められたタイミングで送信する送信部と、
前記属性情報及び前記設定情報の組合せを複数組受信し、複数組の前記属性情報及び前記設定情報に基づいて、前記属性情報と前記設定情報との組合せの統計処理を行うサーバ装置の統計処理結果から、推奨値の導出の対象となる属性情報の推奨値を導出する導出部と、
前記導出部が導出した前記推奨値を、前記撮像部による撮影に関する前記設定情報として設定する設定部と、
を備えた情報処理装置。
【請求項１３】
予め定められたタイミングで複数の情報処理装置の各々から送信される、撮像部により撮影を行うユーザに関する属性情報と、前記撮像部による撮影に関する設定を表す設定情報と、の組合せを受信する受信部と、
複数組の前記属性情報及び前記設定情報に基づいて、前記属性情報と前記設定情報との組合せの統計処理を行う処理部と、
推奨値の導出の対象となる属性情報の推奨値を、前記処理部の統計処理結果から導出する導出部と、
を備えたサーバ装置。
【請求項１４】
撮像部により撮影を行うユーザに関する属性情報と、前記撮像部による撮影に関する設定を表す設定情報とを、予め定められたタイミングで送信し、
前記属性情報及び前記設定情報の組合せを複数組受信し、複数組の前記属性情報及び前記設定情報に基づいて、前記属性情報と前記設定情報との組合せの統計処理を行うサーバ装置の統計処理結果から、推奨値の導出の対象となる属性情報の推奨値を導出し、
導出した前記推奨値を、前記撮像部による撮影に関する前記設定情報として設定する、
処理を含む情報処理方法。
【請求項１５】
撮像部により撮影を行うユーザに関する属性情報と、前記撮像部による撮影に関する設定を表す設定情報とを、予め定められたタイミングで送信し、
前記属性情報及び前記設定情報の組合せを複数組受信し、複数組の前記属性情報及び前記設定情報に基づいて、前記属性情報と前記設定情報との組合せの統計処理を行うサーバ装置の統計処理結果から、推奨値の導出の対象となる属性情報の推奨値を導出し、
導出した前記推奨値を、前記撮像部による撮影に関する前記設定情報として設定する、
処理を含む処理をコンピュータに実行させるための情報処理プログラム。
【発明の詳細な説明】
【技術分野】
【０００１】
本開示の技術は、撮像システム、情報処理装置、サーバ装置、情報処理方法、及び情報処理プログラムに関する。
【背景技術】
【０００２】
一般に、被写体の撮像を行う撮像部を備えた撮像装置では、例えば、視度の調整やオートフォーカスの設定等、撮影に関して種々の設定が行われる。ユーザによるこれらの設定を容易にする技術として、例えば、特許文献１には、撮像装置によって撮影された画像から検出された人物の属性を複数特定し、特定した複数の属性の組合せに応じて撮像装置のユーザインタフェースを設定する技術が記載されている。【０００３】
また、特許文献２には、撮像装置の属性及び設定されている撮影モードに基づき、推奨する撮影モードを表示部に提示し、提示した撮影モードのうち撮像装置によって選択された撮影モードに係る機能情報を情報処理装置から撮像装置に送信することで撮像装置の撮影モードを設定する技術が記載されている。また、特許文献３には、サーバ装置が、撮像装置の設定に用いた設定データを撮像装置の機器種別データと共に検索可能に保持し、機器種別データに基づいて検索され、取得された設定データにより撮像装置を設定する技術が記載されている。
【先行技術文献】
【特許文献】
【０００４】
【特許文献１】特開２０１１−１０７８９９号公報
【特許文献２】特開２０１１−２９９２４号公報
【特許文献３】特開２００３−１２２６５２号公報
【発明の概要】
【発明が解決しようとする課題】
【０００５】
しかしながら、特許文献１〜３に記載の技術では、撮像装置の設定が自動的に行われるものの、その設定が、撮像装置により撮影を行うユーザに応じた適切な設定となっているとは限らず、ユーザにとって使い難い設定が成されてしまう場合があった。【０００６】
本開示は、上記事情を考慮して成されたものであり、撮像部による撮影に関する設定を、ユーザに応じた自動的な設定に自動的に行うことができる、撮像システム、情報処理装置、サーバ装置、情報処理方法、及び情報処理プログラムを提供することを目的とする。
【課題を解決するための手段】
【０００７】
上記目的を達成するために、本開示の撮像システムは、撮像部により撮影を行うユーザに関する属性情報と、撮像部による撮影に関する設定を表す設定情報とを、予め定められたタイミングで送信する送信部を備えた情報処理装置と、属性情報及び設定情報の組合せを複数組受信し、複数組の属性情報及び設定情報に基づいて、属性情報と設定情報との組合せの統計処理を行う処理部を備えたサーバ装置と、推奨値の導出の対象となる属性情報に対応する設定情報の推奨値を、サーバ装置の処理部による統計処理結果から導出する導出部と、導出部が導出した推奨値を、撮像部による撮影に関する設定情報として設定する設定部と、を備える。【０００８】
また、本開示の撮像システムにおける送信部は、設定情報の初期設定を行う場合、推奨値の導出の対象となる属性情報を送信してもよい。【０００９】
また、本開示の撮像システムにおける属性情報は、撮影に関してユーザが行った操作の履歴から得られる特徴量を含んでいてもよい。【００１０】
また、本開示の撮像システムは、撮像部による撮影に関する設定がユーザにより変更されてから予め定められた期間内、推奨値を設定するか否かをユーザが指示するための情報を、表示する表示部をさらに備えてもよい。【００１１】
また、本開示の撮像システムにおける設定部は、撮像部の撮影に関する設定がユーザにより変更されてから予め定められた期間内は、推奨値の設定を行わなくてもよい。【００１２】
また、本開示の撮像システムにおける設定部は、推奨値が、設定情報と異なる場合は、推奨値を設定し、撮像部の撮影に関する設定情報と同一の場合は、推奨値の設定を行わなくてもよい。【００１３】
また、本開示の撮像システムにおける処理部は、撮影を行う頻度が予め定められた頻度よりも低いユーザに関する属性情報と設定情報との組合せの重みを、他のユーザに関する属性情報と設定情報との組合せよりも低くして統計処理を行ってもよい。【００１４】
また、本開示の撮像システムにおける予め定められたタイミングは、撮像部による撮影に応じた累積量に基づくタイミングであってもよい。【００１５】
また、本開示の撮像システムにおける導出部は、サーバ装置に備えられていてもよい。【００１６】
また、本開示の撮像システムにおける導出部は、情報処理装置に備えられていてもよい。【００１７】
また、本開示の撮像システムにおける属性情報は、ユーザの身体的な特徴に応じた情報、ユーザの性別に応じた情報、ユーザの年齢に応じた情報、及びユーザに関する地域性に応じた情報の少なくとも１つを含んでいてもよい。【００１８】
上記目的を達成するために、本開示の情報処理装置は、撮像部により撮影を行うユーザに関する属性情報と、撮像部による撮影に関する設定を表す設定情報とを、予め定められたタイミングで送信する送信部と、属性情報及び設定情報の組合せを複数組受信し、複数組の属性情報及び設定情報に基づいて、属性情報と設定情報との組合せの統計処理を行うサーバ装置の統計処理結果から、推奨値の導出の対象となる属性情報の推奨値を導出する導出部と、導出部が導出した推奨値を、撮像部による撮影に関する設定情報として設定する設定部と、を備える。【００１９】
上記目的を達成するために、本開示のサーバ装置は、予め定められたタイミングで複数の情報処理装置の各々から送信される、撮像部により撮影を行うユーザに関する属性情報と、撮像部による撮影に関する設定を表す設定情報と、の組合せを受信する受信部と、複数組の属性情報及び設定情報に基づいて、属性情報と設定情報との組合せの統計処理を行う処理部と、推奨値の導出の対象となる属性情報の推奨値を、処理部の統計処理結果から導出する導出部と、を備える。【００２０】
上記目的を達成するために、本開示の情報処理方法は、撮像部により撮影を行うユーザに関する属性情報と、撮像部による撮影に関する設定を表す設定情報とを、予め定められたタイミングで送信し、属性情報及び設定情報の組合せを複数組受信し、複数組の属性情報及び設定情報に基づいて、属性情報と設定情報との組合せの統計処理を行うサーバ装置の統計処理結果から、推奨値の導出の対象となる属性情報の推奨値を導出し、導出した推奨値を、撮像部による撮影に関する設定情報として設定する、処理を含む。【００２１】
上記目的を達成するために、本開示の情報処理プログラムは、撮像部により撮影を行うユーザに関する属性情報と、撮像部による撮影に関する設定を表す設定情報とを、予め定められたタイミングで送信し、属性情報及び設定情報の組合せを複数組受信し、複数組の属性情報及び設定情報に基づいて、属性情報と設定情報との組合せの統計処理を行うサーバ装置の統計処理結果から、推奨値の導出の対象となる属性情報の推奨値を導出し、導出した推奨値を、撮像部による撮影に関する設定情報として設定する、処理を含む処理をコンピュータに実行させるためのものである。【００２２】
また、本開示の情報処理装置は、撮像部により撮影を行うユーザに関する属性情報と、撮像部による撮影に関する設定を表す設定情報とを、予め定められたタイミングで送信し、属性情報及び設定情報の組合せを複数組受信し、複数組の属性情報及び設定情報に基づいて、属性情報と設定情報との組合せの統計処理を行うサーバ装置の統計処理結果から、推奨値の導出の対象となる属性情報の推奨値を導出し、導出した推奨値を、撮像部による撮影に関する設定情報として設定するように構成されているプロセッサを有する。【００２３】
また、本開示のサーバ装置は、予め定められたタイミングで複数の情報処理装置の各々から送信される、撮像部により撮影を行うユーザに関する属性情報と、撮像部による撮影に関する設定を表す設定情報と、の組合せを受信し、複数組の属性情報及び設定情報に基づいて、属性情報と設定情報との組合せの統計処理を行い、推奨値の導出の対象となる属性情報の推奨値を、統計処理結果から導出するように構成されているプロセッサを有する。
【発明の効果】
【００２４】
本開示によれば、撮像部による撮影に関する設定を、ユーザに応じた自動的な設定に自動的に行うことができる。
【図面の簡単な説明】
【００２５】
【図１】実施形態の撮像システムの構成の一例を示す構成図である。
【図２】実施形態の撮像装置の構成の一例を示すブロック図である。
【図３】実施形態の情報処理装置の構成の一例を示すブロック図である。
【図４】実施形態の情報処理装置の構成の一例を示す機能ブロック図である。
【図５】実施形態のサーバ装置の構成の一例を示すブロック図である。
【図６】実施形態のサーバ装置の構成の一例を示す機能ブロック図である。
【図７】実施形態の情報処理装置における撮像装置設定処理の流れの一例を示すフローチャートである。
【図８】実施形態のサーバ装置における推奨設定情報導出処理の流れの一例を示すフローチャートである。
【図９Ａ】設定情報データベースの一例を示すグラフである。
【図９Ｂ】設定情報データベースの他の例を示すグラフである。
【図１０】実施形態の情報処理装置における撮像装置設定処理の流れの他の例を示すフローチャートである。
【図１１】実施形態の情報処理装置の構成の一例を示す機能ブロック図である。
【発明を実施するための形態】
【００２６】
以下、図面を参照して本開示の技術を実施するための形態例を詳細に説明する。
【００２７】
まず、図１を参照して、本実施形態の撮像システム１０の構成の一例について説明する。一例として図１に示すように、本実施形態の撮像システム１０は、撮像装置１２１〜１２ｎと、情報処理装置１４１〜１４ｎと、サーバ装置１６と、を備える。なお、以下では、撮像装置１２１〜１２ｎの個々を区別せずに総称する場合は、単に「撮像装置１２」といい、個々を区別する場合は個々を示す符号１〜ｎを付して称する。同様に、情報処理装置１４１〜１４ｎの個々を区別せずに総称する場合は、単に「情報処理装置１４」といい、個々を区別する場合は個々を示す符号１〜ｎを付して称する。
【００２８】
情報処理装置１４と、サーバ装置１６とは、ネットワーク１９を介して互いに通信が可能に接続されている。また、図１に示すように、情報処理装置１４と撮像装置１２とは、互いに通信が可能に接続されており、情報処理装置１４は単一の撮像装置１２とペアリングされている。
【００２９】
本実施形態の撮像装置１２は、いわゆるデジタルカメラであり、本実施形態では、一例としてＡＷＢ（Auto White Balance）機能、ＡＥ（Auto Exposure）機能、及びＡＦ（Auto Focus）機能等、撮影に関する複数の機能を有する。図２には、本実施形態の撮像装置
１２の構成の一例を表すブロック図を示す。図２に示すように本実施形態の撮像装置１２は、撮影制御部２０、撮像部２２、画像メモリ２４、画像処理部２６、表示制御部２８、表示部３０、受付Ｉ／Ｆ（Interface)３２、操作部３４、メディアＩ／Ｆ３６、メモリカード３８、Ｉ／Ｆ部４０、及び記憶部４２を備える。撮影制御部２０、撮像部２２、画像メモリ２４、画像処理部２６、表示制御部２８、受付Ｉ／Ｆ３２、メディアＩ／Ｆ３６、Ｉ／Ｆ部４０、及び記憶部４２は、バス４９に接続されている。
【００３０】
撮影制御部２０は、ＣＰＵ（Central Processing Unit）２０Ａ、ＲＯＭ（Read Only Memory）２０Ｂ、及びＲＡＭ（Random Access Memory）２０Ｃを備える。ＣＰＵ２０Ａは、撮像装置１２の全体の動作を制御する。ＲＯＭ２０Ｂには、ＣＰＵ２０Ａで実行される、各種のプログラム等が予め記憶されている。ＲＡＭ２０Ｃは、各種データを一時的に記憶する。
【００３１】
撮像部２２は、撮像光学系及び撮像素子等（いずれも図示省略）を含み、被写体を撮像し、撮像画像を生成して出力する機能を有する。一例として本実施形態の撮像光学系は、入射レンズ、フォーカスレンズ、ズームレンズ、及び絞り等を含む。また、一例として本実施形態の撮像素子は、ＣＣＤ（Charge Coupled Device）イメージセンサを用いている
が、撮像素子は、例えば、ＣＭＯＳ（Complementary Metal-Oxide-Semiconductor）イメージセンサ等の他のイメージセンサを用いてもよい。
【００３２】
被写体を示す反射光である被写体光は、入射レンズ、フォーカスレンズ、及びズームレンズを透過し、絞りによって光量が調節され、撮像素子の受光面に結像される。撮像部２２では、撮像素子により撮像された１フレーム分の画像信号に、相関二重サンプリング処理、自動利得調整処理、及びＡ／Ｄ（Analog／Digital）変換処理等の各種処理を行う。
撮像部２２は、デジタル化された画像信号を、撮影制御部２０のＣＰＵ２０Ａから供給されるクロック信号で規定される特定のフレームレート（例えば、数十フレーム／秒）で１フレーム毎に画像メモリ２４に出力する。
【００３３】
画像メモリ２４は、撮像部２２から入力された画像信号を一時的に保持する。
【００３４】
画像処理部２６は、画像メモリ２４から特定のフレームレートで１フレーム毎に画像信号を取得し、取得した画像信号に対して、ガンマ補正処理、輝度変換処理、色差変換処理、及び圧縮処理等の各種処理を行う。また、画像処理部２６は、各種処理を行って得た画像信号を特定のフレームレートで１フレーム毎に表示制御部２８に出力する。更に、画像処理部２６は、各種処理を行って得た画像信号を、ＣＰＵ２０Ａの要求に応じて、ＣＰＵ２０Ａに出力する。
【００３５】
表示制御部２８は、表示部３０に接続されており、ＣＰＵ２０Ａの制御下で、表示部３０を制御する。また、表示制御部２８は、画像処理部２６から入力された画像信号を１フレーム毎に特定のフレームレートで表示部３０に出力する。
【００３６】
表示部３０は、表示制御部２８から特定のフレームレートで入力された画像信号により示される画像をライブビュー画像として表示する。ライブビュー画像は、スルー画像とも称され、撮像部２２の撮像素子により被写体が連続フレームで撮像されて得られた連続フレーム画像である。なお、「撮像画像」という場合は、ライブビュー画像も含む。また、表示部３０には、ライブビュー画像の他に、再生画像及びメニュー画面等も表示される。表示部３０は、例えば、ＬＣＤ（Liquid Crystal Display）である。
【００３７】
操作部３４は、撮像装置１２の本体に設けられたレリーズボタンを含む各種ボタン、及びダイヤル等（いずれも図示省略）を有している。また、本実施形態の操作部３４は、表示部３０と一体的に構成されたタッチパネルディスプレイ（図示省略）を有している。操作部３４は、ユーザによる各種指示を受け付ける。
【００３８】
操作部３４は、受付Ｉ／Ｆ３２に接続されており、受け付けた指示の内容を示す指示内容信号を受付Ｉ／Ｆ３２に出力する。受付Ｉ／Ｆ３２は、入力された指示内容信号をＣＰＵ２０Ａに出力する。ＣＰＵ２０Ａは、受付Ｉ／Ｆ３２から入力された指示内容信号に応じた処理を実行する。
【００３９】
メディアＩ／Ｆ３６には、メモリカード３８が着脱可能に接続されている。メディアＩ／Ｆ３６は、ＣＰＵ２０Ａの制御下で、メモリカード３８に対する画像ファイルの記録及び読み出しを行う。メディアＩ／Ｆ３６によってメモリカード３８から読み出された画像ファイルは、ＣＰＵ２０Ａの制御下で、画像処理部２６によって伸張処理が施されて表示部３０に再生画像として表示される。
【００４０】
Ｉ／Ｆ部４０は、近距離無線通信により情報処理装置１４と通信を行う機能を有している。本実施形態では、近距離無線の一例として、Ｂｌｕｅｔｏｏｔｈ（登録商標）を用いている。
【００４１】
記憶部４２は、詳細を後述する、撮影に関する設定を表す設定情報４３等を記憶する不揮発性の記憶部であり、例えば、ＥＥＰＲＯＭ（Electrically Erasable Programmable Read-Only Memory）またはフラッシュメモリ等である。
【００４２】
設定情報４３は、新規設定及び変更が可能な情報であれば特に限定されない。例えば、設定情報４３は、ＡＦのモードに関する情報、ＡＥのモードに関する情報、色温度に関する情報、連写モードに関する情報、焦点をあわせるために被写体の顔画像を検出する機能（以下、「顔検出機能」という）に関する情報等が挙げられる。また例えば、設定情報４３は、カラーバランスの調整値に関する情報、撮像部２２により得られる撮像画像の画素数や画質に関する情報、及び撮像画像に適用する美白加工フィルターの加工レベルに関する情報等が含まれていてもよい。
【００４３】
また例えば、設定情報４３は、自動的に電源がオフ状態になる機能を有する場合は、電源をオフ状態にするまでの時間に関する情報、及び撮像装置１２から情報処理装置１４へ撮像画像を送信する場合は、この送信においてタイムアウトとなる時間に関する情報を含んでいてもよい。また例えば、設定情報４３は、表示部３０に表示される文字のフォントのサイズや色に関する情報、視度の調整値に関する情報、及び表示の切換における視覚効果に関する情報を含んでいてもよい。
【００４４】
また、画像処理部２６は、撮像部２２によって得られた撮像画像の画像信号（ＲＡＷデータ）に対して圧縮処理を施して、いわゆるＲＡＷ現像を行い、特定のフォーマットの画像ファイルを生成する。特定のフォーマットは、例えば、ＪＰＥＧ（Joint Photographic
Experts Group）形式のフォーマットであってもよい。生成された画像ファイルは、画像処理部２６によって、メディアＩ／Ｆ３６を介してメモリカード３８に記録される。
【００４５】
一方、情報処理装置１４は、例えば、スマートフォン及びタブレットコンピュータ等のモバイル端末装置等である。本実施形態では、情報処理装置１４または撮像装置１２を購入後に、電源を投入した後にペアリング（接続の設定）を行うことで、情報処理装置１４に単一の撮像装置１２が対応付けられる。本実施形態の情報処理装置１４は、撮像装置１２に対して、撮影に関する各種設定を行う機能を有している。
【００４６】
図３には、本実施形態の情報処理装置１４の構成の一例を表すブロック図を示す。図３に示すように本実施形態の情報処理装置１４は、情報制御部５０、受付Ｉ／Ｆ５２、操作部５４、表示制御部５６、表示部５８、Ｉ／Ｆ部６０、及び記憶部６２を備える。情報制御部５０、受付Ｉ／Ｆ５２、表示制御部５６、Ｉ／Ｆ部６０、及び記憶部６２は、バス６９に接続されている。
【００４７】
情報制御部５０は、ＣＰＵ５０Ａ、ＲＯＭ５０Ｂ、及びＲＡＭ５０Ｃを備える。ＣＰＵ５０Ａは、情報処理装置１４の全体の動作を制御する。ＲＯＭ５０Ｂには、ＣＰＵ５０Ａで実行される、後述する撮像装置設定処理プログラムを含む各種のプログラム等が予め記憶されている。ＲＡＭ５０Ｃは、各種データを一時的に記憶する。本実施形態の撮像装置設定処理プログラムが、本開示の情報処理プログラムの一例である。本実施形態のＣＰＵ５０Ａが撮像装置設定処理プログラムを実行することにより情報制御部５０が、本開示の送信部、及び設定部として機能する。
【００４８】
操作部５４は、ユーザによる各種指示を受け付ける機能を有し、各種ボタン等を有している。また、本実施形態の操作部５４は、表示部５８と一体的に構成されたタッチパネルディスプレイ（図示省略）を有している。操作部５４は、受付Ｉ／Ｆ５２に接続されており、受け付けた指示の内容を示す指示内容信号を受付Ｉ／Ｆ５２に出力する。受付Ｉ／Ｆ５２は、入力された指示内容信号をＣＰＵ５０Ａに出力する。ＣＰＵ５０Ａは、受付Ｉ／Ｆ５２から入力された指示内容信号に応じた処理を実行する。
【００４９】
表示制御部５６は、表示部５８に接続されており、ＣＰＵ５０Ａの制御下で、表示部５８を制御し、各種情報を表示させる。表示部３０は、例えば、ＬＣＤ（Liquid Crystal Display）やＥＶＦ（Electronic View Finder）である。
【００５０】
Ｉ／Ｆ部６０は、近距離無線通信により撮像装置１２と通信を行う機能を有している。また、Ｉ／Ｆ部６０は、ネットワーク１９を介してサーバ装置１６と通信を行う機能を有している。
【００５１】
記憶部６２は、情報処理装置１４のユーザに関する属性情報６３等を記憶した不揮発性の記憶部であり、例えば、ＨＤＤ（Hard Disk Drive）及びＳＳＤ（Solid State Drive）等である。
【００５２】
属性情報６３は、ユーザに関する属性情報であって、撮像装置１２の撮影に関する設定に影響する情報であれば特に限定されず、本実施形態では、複数種類の属性情報を含む。例えば、属性情報６３は、ユーザの身体的な特徴に応じた情報、ユーザの性別に応じた情報、ユーザの年齢に応じた情報、及びユーザに関する地域性に応じた情報等が挙げられ、これらのうちの少なくとも１つの情報を含むことが好ましい。ユーザの身体的な特徴に応じた情報としては、例えば、ユーザの身長、体重、目の色、肌の色、視力、及び動体視力等を表す情報が挙げられる。また、ユーザに関する地域性に応じた情報としては、例えば、ユーザの居住する地域、及びユーザの国籍等を表す情報が挙げられる。また例えば、属性情報６３は、ユーザの使用する言語を表す情報や職業を表す情報等であってもよい。さらに例えば、属性情報６３は、ユーザが情報処理装置１４に対して行った操作の履歴から得られる特徴量を表す情報（以下、「情報処理装置１４の操作履歴情報」という）を含んでいてもよい。情報処理装置１４の操作履歴情報に応じた特徴量の種類としては、例えば、表示部５８に表示される文字のフォントのサイズ、表示部５８の画像のコントラスト、スリープ待ち時間、長押し感知時間、ＳＮＳ（Social Networking Service）への投稿の頻度等が挙げられる。これらの情報は、情報制御部５０が予め定められたタイミングで、ユーザ自身が情報処理装置１４に設定した情報や、ユーザが情報処理装置１４に対して行った操作の履歴から導出して属性情報６３として記憶部６２に記憶させておく。
【００５３】
また例えば、属性情報６３は、撮像装置１２による撮影に関してユーザが行った操作の履歴から得られる特徴量を表す情報（以下、「撮像装置１２の操作履歴情報」という）を含んでいてもよい。撮像装置１２の操作履歴情報に応じた特徴量の種類としては、例えば、ユーザが撮像装置１２の使用を開始してからの経過時間、撮像装置１２の使用頻度、一ヶ月間のうちにレリーズボタンを押した回数、被写体に焦点を合わせるためにレリーズボタンの半押しを行った割合、撮像装置１２の操作部３４の特定のキー等に対する操作の時間間隔、ＥＶＦの使用頻度、及び人物の撮影比率等が挙げられる。また、撮像装置１２の操作履歴情報の他、撮像装置１２に関して、撮像画像の種類等の撮像された撮像画像に関する情報、及び撮像装置１２の機種を表す情報等も属性情報６３に含めてもよい。これらの撮像装置１２に関する情報は、情報制御部５０が予め定められたタイミングで、撮像装置１２から取得して属性情報６３として記憶部６２に記憶させておく。
【００５４】
なお、本実施形態では、情報処理装置１４のユーザと、この情報処理装置１４とペアリングされている撮像装置１２により撮影を行うユーザ（以下、単に「撮像装置１２のユーザ」という）とは、同一人物とみなしている。そのため、本実施形態の属性情報６３は、撮像装置１２のユーザに関する属性情報となっている。
【００５５】
図４には、本実施形態の情報処理装置１４の構成の一例を表す機能ブロック図を示す。図４に示すように、本実施形態の情報処理装置１４は、送信部７０、取得部７２、設定部７４、及び上述した記憶部６２を備える。取得部７２は、詳細を後述する予め定められたタイミング等に応じて、ペアリングされている撮像装置１２から設定情報４３を取得する。また、取得部７２は、サーバ装置１６から後述する推奨設定情報を取得する。送信部７０は、記憶部６２に記憶されている属性情報６３や、取得部７２が撮像装置１２から取得した設定情報４３をサーバ装置１６に送信する。設定部７４は、取得部７２がサーバ装置１６から取得した推奨設定情報を撮像装置１２に設定する。
【００５６】
一方、サーバ装置１６は、いわゆるサーバコンピュータ等である。図５には、本実施形態のサーバ装置１６の構成の一例を表すブロック図を示す。図５に示すように本実施形態のサーバ装置１６は、処理制御部８０、Ｉ／Ｆ部８２、及び記憶部８４を備える。処理制御部８０、Ｉ／Ｆ部８２、及び記憶部８４は、バス８９に接続されている。
【００５７】
処理制御部８０は、ＣＰＵ８０Ａ、ＲＯＭ８０Ｂ、及びＲＡＭ８０Ｃを備える。ＣＰＵ８０Ａは、サーバ装置１６の全体の動作を制御する。ＲＯＭ８０Ｂには、ＣＰＵ８０Ａで実行される後述する推奨設定情報導出処理プログラムを含む各種のプログラム等が予め記憶されている。ＲＡＭ８０Ｃは、各種データを一時的に記憶する。本実施形態のＣＰＵ８０Ａが推奨設定情報導出処理プログラムを実行することにより処理制御部８０が、本開示の受信部、処理部、及び導出部として機能する。
【００５８】
Ｉ／Ｆ部８２は、ネットワーク１９を介して情報処理装置１４と通信を行う機能を有している。記憶部８４は、詳細を後述する、設定情報データベース８５等を記憶した不揮発性の記憶部であり、例えば、ＨＤＤ及びＳＳＤ等である。
【００５９】
図６には、本実施形態のサーバ装置１６の構成の一例を表す機能ブロック図を示す。図６に示すように、本実施形態のサーバ装置１６は、受信部９０、処理部９２、導出部９４、送信部９６、及び上記記憶部８４を備える。受信部９０は、情報処理装置１４が送信した設定情報４３及び属性情報６３を受信し、記憶部８４に記憶させる。処理部９２は、記憶部８４に記憶されている設定情報４３及び属性情報６３に対して統計処理を行い、設定情報データベース８５を生成し、記憶部８４に記憶させる。導出部９４は、記憶部８４に記憶されている設定情報データベース８５から、受信部９０が受信した属性情報６３に対応する推奨設定情報を導出する。送信部９６は、導出部９４により導出された推奨設定情報を情報処理装置１４に送信する。
【００６０】
次に、本実施形態の撮像システム１０の作用を説明する。
本実施形態の撮像システム１０では、上述したように、対応付けられている撮像装置１２の撮像部２２による撮影に関する設定（以下、単に「撮像装置１２の設定」という）を情報処理装置１４が行う。以下では、本実施形態の撮像システム１０における、情報処理装置１４による撮像装置１２の撮影に関する設定について詳細に説明する。
【００６１】
まず、本実施形態の情報処理装置１４の動作について説明する。図７には、本実施形態の情報処理装置１４において実行される撮像装置設定処理の流れの一例を表すフローチャートを示す。
【００６２】
本実施形態の情報処理装置１４では、一例として、情報処理装置１４に電源が投入された場合、または撮像装置１２の駆動状態を監視し、撮像装置１２の電源がオン状態となった場合に、情報制御部５０のＣＰＵ５０ＡがＲＯＭ５０Ｂに記憶されている撮像装置設定処理プログラムを実行することにより、送信部７０、取得部７２、及び設定部７４として機能し、図７に示した撮像装置設定処理を実行する。
【００６３】
図７に示すように、ステップＳ１００で取得部７２は、撮像装置１２の設定、具体的には、撮像装置１２の記憶部４２に記憶されている設定情報４３を更新するか否かを判定する。設定情報４３を更新するタイミングは、特に限定されないが、少なくとも初期設定を行うタイミングを含む。なお、初期設定とは、撮像装置１２を購入した後、撮像装置１２に対して初めて行う設定に限らず、例えば、ファームウエアが更新されたことにより行う設定も含む。
【００６４】
撮像装置１２の設定を更新するタイミングに達した場合、ステップＳ１００の判定が肯定判定となり、ステップＳ１０２へ移行する。ステップＳ１０２で取得部７２は、記憶部６２から属性情報６３を取得する。
【００６５】
次のステップＳ１０４で送信部７０は、取得部７２が取得した属性情報６３をサーバ装置１６に送信する。詳細は後述するが、属性情報６３を受信したサーバ装置１６は、属性情報６３に応じた設定情報の推奨値（以下、「推奨設定情報」という）を導出し、情報処理装置１４に送信する。
【００６６】
そのため、次のステップＳ１０６で取得部７２は、情報処理装置１４から推奨設定情報を受信したか否かを判定する。推奨設定情報を受信するまでステップＳ１０６の判定が否定判定となる。一方、推奨設定情報を受信するとステップＳ１０６の判定が肯定判定となり、ステップＳ１０８へ移行する。
【００６７】
ステップＳ１０８で設定部７４は、設定情報４３の更新が、初期設定を行う場合であるか否かを判定する。初期設定を行う場合、ステップＳ１０８の判定が肯定判定となり、ステップＳ１１０へ移行する。ステップＳ１１０で設定部７４は、取得部７２がサーバ装置１６から受信した推奨設定情報を撮像装置１２に設定した後、ステップＳ１３０へ移行する。具体的には、設定部７４は、撮像装置１２の記憶部４２に設定情報４３として推奨設定情報を記憶させる。なお、初期設定を行う場合、設定部７４は、自装置の日時設定を参照し、撮像装置１２の日時設定も行うことが好ましい。
【００６８】
一方、初期設定を行う場合ではない場合、ステップＳ１０８の判定が否定判定となり、ステップＳ１１２へ移行する。ステップＳ１１２で取得部７２は、撮像装置１２に現在設定されている設定情報、すなわち設定情報４３を撮像装置１２から取得する。
【００６９】
次のステップＳ１１４で設定部７４は、予め定められた期間内に、ユーザによって、設定情報４３が設定及び設定の変更の少なくとも一方が成されたか否かを判定する。設定情報４３が、ユーザ自身が撮影に関して行った設定を表す情報である場合、推奨設定情報に応じた設定と設定情報４３とが異なる場合がある。例えば、ホワイトバランスの調整に用いる色温度の設定について、ユーザの好みに応じて設定情報４３が３０００Ｋを表す情報であり、一方、推奨設定情報が４０００Ｋを表す情報である場合がある。このような場合、ユーザの好みに応じた設定情報４３を、推奨設定情報で更新してしまうと、ユーザの好みと異なる設定がなされてしまう。そこで、本実施形態の撮像装置１２では、予め定められた期間内にユーザにより設定情報４３が設定された場合、及び設定情報４３の設定が変更された場合の少なくとも一方の場合、推奨設定情報による設定情報４３の更新は行わないものとしている。
【００７０】
そのため、予め定められた期間内に、ユーザによって、設定情報４３が設定及び設定の変更の少なくとも一方が成された場合、ステップＳ１１４の判定が肯定判定となり、ステップＳ１３０へ移行する。従って、この場合、設定情報４３は、推奨設定情報により更新されない。
【００７１】
一方、予め定められた期間内に、ユーザによって、設定情報４３が設定も、設定の変更も成されなかった場合、ステップＳ１１４の判定が否定判定となり、ステップＳ１１６へ移行する。ステップＳ１１６で設定部７４は、推奨設定情報が表す設定と、上記ステップＳ１１２で取得した設定情報４３が表す設定とを比較する。次のステップＳ１１８で設定部７４は、推奨設定情報が表す設定と、設定情報４３が表す設定とが同一であるとみなせるか否かを判定する。なお、「同一」とは、完全に同一である場合の他、例えば、色温度ならば、設定情報４３が表す色温度が、推奨設定情報が表す色温度の±１００Ｋ以内ならば同一とみなす等、予め定められた範囲を以て同一としてもよい。
【００７２】
設定情報データベース８５がより最適化された場合や、ユーザの使用状況等、撮影に関する流行の変化等に応じて、推奨設定情報は変化する。そのため、推奨設定情報が表す設定と、設定情報４３が表す設定とが同一であるとみなせなくなる場合がある。推奨設定情報が表す設定と、設定情報４３が表す設定とが同一であるとみなせない場合、換言すると推奨設定情報が表す設定と、設定情報４３が表す設定とが異なる場合、ステップＳ１１８の判定が否定判定となり、ステップＳ１２０へ移行する。
【００７３】
ステップＳ１２０で設定部７４は、上述したステップＳ１１０と同様に、推奨設定情報を撮像装置１２に設定した後、ステップＳ１３０へ移行する。
【００７４】
一方、推奨設定情報が表す設定と、設定情報４３が表す設定とが同一であるとみなせる場合、ステップＳ１１８の判定が肯定判定となり、ステップＳ１３０へ移行する。従って、この場合、設定情報４３は、推奨設定情報により更新されない。本実施形態では、このように推奨設定情報が表す設定と、設定情報４３が表す設定とが同一であるとみなせる場合、設定情報４３の更新を行わないことにより設定情報４３の更新頻度を抑制することができ、省電力化を図ることができる。
【００７５】
一方、ステップＳ１００において撮像装置１２の設定を更新するタイミングに達していない場合、ステップＳ１００の判定が否定判定となり、ステップＳ１２２へ移行する。ステップＳ１２２で取得部７２は、サーバ装置１６に設定情報４３及び属性情報６３を送信する予め定められたタイミングに達したか否かを判定する。なお、この場合の予め定められたタイミングは、特に限定されないが、撮像装置１２による撮影に応じた累積値に基づくタイミングであることが好ましい。このようなタイミングとしては例えば、撮影回数が予め定められた回数に達したタイミング、撮影に要した時間の累積時間が予め定められた時間に達したタイミング、及び予め定められた経過時間が経過したタイミング等が挙げられる。
【００７６】
予め定められたタイミングに達していない場合、ステップＳ１２２の判定が否定判定となり、ステップＳ１００に戻る。一方、予め定められたタイミングに達した場合、ステップＳ１２２の判定が肯定判定となり、ステップＳ１２４へ移行する。
【００７７】
ステップＳ１２４で取得部７２は、撮像装置１２に現在設定されている設定情報、すなわち設定情報４３を撮像装置１２から取得する。次のステップＳ１２６で取得部７２は、記憶部６２から属性情報６３を取得する。次のステップＳ１２８で送信部７０は、取得部７２が取得した設定情報４３及び属性情報６３をサーバ装置１６に送信する。
【００７８】
次のステップＳ１３０で取得部７２は、撮像装置設定処理を終了するか否かを判定する。本実施形態では、情報処理装置１４の電源がオフ状態となった場合、及び撮像装置１２の駆動状態を監視し、撮像装置１２の電源がオフ状態となった場合、ステップＳ１３０の判定が肯定判定となり、撮像装置設定処理を終了する。一方、情報処理装置１４の電源がオフ状態となった場合、及び撮像装置１２の電源がオフ状態となった場合のいずれの場合でもない場合、ステップＳ１３０の判定が否定判定となり、ステップＳ１００に戻り、上述したステップＳ１０２〜Ｓ１２８の処理を繰り返す。
【００７９】
次に、本実施形態のサーバ装置１６における、推奨設定情報を導出するための動作について説明する。図８には、本実施形態のサーバ装置１６において実行される推奨設定情報導出処理の流れの一例を表すフローチャートを示す。
【００８０】
本実施形態のサーバ装置１６では、一例として、サーバ装置１６に電源が投入された場合に、処理制御部８０のＣＰＵ８０ＡがＲＯＭ８０Ｂに記憶されている推奨設定情報導出処理プログラムを実行することにより、受信部９０、処理部９２、導出部９４、及び送信部９６として機能し、図８に示した推奨設定情報導出処理を実行する。
【００８１】
図８に示すように、ステップＳ２００で受信部９０は、情報処理装置１４から属性情報６３を受信したか否かを判定する。属性情報６３を受信するまでステップＳ２００の判定が否定判定となる。一方、属性情報６３を受信した場合、ステップＳ２００の判定が肯定判定となり、ステップＳ２０２へ移行する。
【００８２】
ステップＳ２０２で受信部９０は、設定情報４３も受信したか否かを判定する。設定情報４３を受信した場合、すなわち、上記撮像装置１２における撮像装置設定処理（図７参照）のステップＳ１２８により撮像装置１２から設定情報４３及び属性情報６３が送信された場合、ステップＳ２０２の判定が肯定判定となり、ステップＳ２０４へ移行する。
【００８３】
ステップＳ２０４で受信部９０は、受信した設定情報４３及び属性情報６３の組合せを記憶部８４に記憶させる。
【００８４】
次のステップＳ２０６で処理部９２は、記憶部８４に記憶されている設定情報データベース８５を生成または更新した後、ステップＳ２１２へ移行する。本実施形態の処理部９２は、記憶部８４に記憶されている複数の設定情報４３及び属性情報６３の組合せの統計処理を行うことにより設定情報データベース８５を生成し、また、生成した設定情報データベース８５を更新する。
【００８５】
設定情報データベース８５は、設定情報の種類毎に、特定の属性情報をパラメータとして設けられたデータベースを複数含む。
【００８６】
例えば、一般に、年齢と視度の調整値とは相関があり、年齢が高くなるほど老眼の確率が高くなり、視度を調整するユーザが多くなり、その調整値も大きくなる。そのため、本実施形態の設定情報データベース８５は、設定情報の種類が視度の調整値の場合、パラメータとなる属性情報を年齢とした設定情報データベースを含む。図９Ａに、設定情報の種類が視度の調整値であり、パラメータとなる属性情報が年齢である場合の設定情報データベースの一例を示す。
【００８７】
また、例えば、男性のユーザや被写体が男性である場合よりも、女性のユーザや被写体が女性である場合のほうが、美白加工フィルターを用いる場合が多く、また、年齢や、ユーザに関する地域性により、美白加工のレベル（どの程度白くするか）が異なる傾向がある。そのため、本実施形態の設定情報データベース８５は、設定情報の種類が美白加工フィルターの加工レベルの場合、パラメータとなる属性情報を年齢、性別、及びユーザに関する地域性とした設定情報データベースを含む。図９Ｂに、設定情報の種類が美白加工フィルターの加工レベルであり、パラメータとなる属性情報が年齢、性別、及びユーザに関する地域性である場合の設定情報データベースの一例を示す。図９Ｂに示した設定情報データベースを表すグラフは、性別毎、かつユーザに関する地域性毎に得られる。
【００８８】
その他、例えば、撮影に慣れたユーザが使用する機種を使用するユーザや、年齢が比較的高いユーザは、いわゆるフルオートフォーカスを用いるモードではなく、絞りを優先とするモードを使う頻度が多くなる。そのため、設定情報の種類がＡＦのモードの場合、パラメータとなる属性情報を年齢及び撮像装置１２の機種とした設定情報データベースを用いてもよい。
【００８９】
また例えば、レリーズボタンを半押しすることが苦手なユーザは、顔検出機能を用いる方が、撮像画像がぼけるのを抑制することができる傾向がある。そのため、設定情報の種類が顔検出機能の場合、パラメータとなる属性情報を、レリーズボタンの半押しを行った割合とした設定情報データベースを用いてもよい。
【００９０】
また例えば、視度の調整値と同様の理由から、年齢が高くなるほど、撮像装置１２の表示部３０に表示される文字のフォントのサイズが大きくなる傾向がある。そのため、設定情報の種類が表示部３０に表示される文字のフォントのサイズの場合、パラメータとなる属性情報を年齢とした設定情報データベースを用いてもよい。
【００９１】
なお、処理部９２が、設定情報データベースを生成、または更新する場合、撮影を行う頻度が予め定められた頻度よりも低いユーザの撮像装置１２に対応付けられている情報処理装置１４から受信した属性情報６３と設定情報４３との組合せの重みを、他のユーザ（撮影を行う頻度が予め定められた頻度以上のユーザ）の撮像装置１２に対応付けられている情報処理装置１４から受信した属性情報６３と設定情報４３との組合せよりも低くして統計処理を行うことが好ましい。撮影を行う頻度が予め定められた頻度よりも低い場合、撮像装置１２に適切な設定がなされていない、すなわち設定情報４３が適切ではない場合がある。そのため、処理部９２は、上記のように重みを異ならせて統計処理を行うことにより、設定情報データベースの精度をより高くすることができる。
【００９２】
一方、設定情報４３を受信していない場合、すなわち、上記撮像装置１２における撮像装置設定処理（図７参照）のステップＳ１０４により撮像装置１２から属性情報６３のみが送信された場合、ステップＳ２０２の判定が否定判定となり、ステップＳ２０８へ移行する。ステップＳ２０８で導出部９４は、受信した属性情報６３に対応する推奨設定情報を設定情報データベース８５から導出する。
【００９３】
次のステップＳ２１０で送信部９６は、導出部９４が導出した推奨設定情報を、属性情報６３をサーバ装置１６に送信した送信元である情報処理装置１４に送信した後、ステップＳ２１２へ移行する。
【００９４】
次のステップＳ２１２で受信部９０は、推奨設定情報導出処理を終了するか否かを判定する。サーバ装置１６の電源がオフ状態となった場合、ステップＳ２１２の判定が肯定判定となり、推奨設定情報導出処理を終了する。一方、サーバ装置１６の電源がオン状態のままの場合、ステップＳ２１２の判定が否定判定となり、ステップＳ２００に戻り、上述したステップＳ２０２〜Ｓ２１０の処理を繰り返す。
【００９５】
以上説明したように、本実施形態の撮像システム１０は、撮像装置１２の撮像部２２により撮影を行うユーザに関する属性情報と、撮像装置１２による撮影に関する設定を表す設定情報とを、予め定められたタイミングで送信する送信部７０を備えた情報処理装置１４と、属性情報及び設定情報の組合せを複数組受信し、複数組の属性情報及び設定情報に基づいて、属性情報と設定情報との組合せの統計処理を行う処理部９２を備えたサーバ装置１６と、を備える。また、撮像システム１０は、推奨設定情報の導出の対象となる属性情報に対応する推奨設定情報を、サーバ装置１６の処理部９２による統計処理結果から導出する導出部９４と、導出部９４が導出した推奨設定情報を、撮像装置１２による撮影に関する設定情報として撮像装置１２に設定する設定部７４と、を備える。
【００９６】
本実施形態の撮像システム１０のサーバ装置１６には、情報処理装置１４を介してネットワーク１９によりサーバ装置１６に接続される撮像装置１２の数が多くなるほど、また、撮像装置１２が使用される時間が長くなるほど、多くの設定情報４３及び属性情報６３の組合せが得られる。多くの設定情報４３及び属性情報６３の組合せが得られることにより、本実施形態の撮像システム１０では、設定情報データベース８５の精度が高くなり、自動的に最適化される。従って、本実施形態の撮像システム１０によれば、より最適な推奨設定情報を撮像装置１２に設定することができる。
【００９７】
このように、本実施形態の撮像システム１０によれば、撮像装置１２による撮影に関する設定を、ユーザに応じた自動的な設定に自動的に行うことができる。
【００９８】
一般的な撮像装置の場合、メーカ（工場）から出荷された状態では、メーカにより一般的な、いわば無難な設定が初期設定として成されており、多様なユーザ各々に応じた設定が個別に成されてはないない。そのため、多くのユーザにとって、自身にあわない、いわば使い難い設定が成されている場合が多々あった。この状態からユーザ自身の好みに応じた状態に設定するのは、繁雑で手間がかかることが多く、初期設定のまま、すなわち、使いにくいまま、ユーザが撮像装置を使用し続ける場合もある。
【００９９】
これに対して、本実施形態の撮像システム１０では、初期設定の段階から、撮像装置１２のユーザに応じた推奨設定情報により設定を行うことができるため、ユーザ自身が設定を行う手間を省くことができ、さらにユーザの好みに応じた撮像画像が得られるようになる。また、本実施形態の撮像システム１０では、ユーザが、マニュアルを参照しないと知らない便利な機能や、撮像装置１２を使用していくうえで、より便利な設定へと自動で設定が行われるため、ユーザの利便性をより高めることができる。
【０１００】
なお、上記実施形態の情報処理装置１４が実行する撮像装置設定処理（図７参照）では、ステップＳ１１４で肯定判定となった場合、ステップＳ１３０へ移行し、設定情報４３を推奨設定情報により更新しない形態について説明したが、この場合、ユーザの指定に応じて更新を行う形態としてもよい。例えば、図１０に示した撮像装置設定処理のように、ステップＳ１１４で肯定判定となった場合、ステップＳ１２１Ａへ移行し、ステップＳ１２１Ａで設定部７４が、撮像装置１２の表示部３０、または情報処理装置１４の表示部５８に、設定を更新するか否かをユーザに問い合わせるための情報を表示させる。この問い合わせに対し、ユーザは、撮像装置１２の操作部３４、または情報処理装置１４の操作部５４を介して、更新を行うか否かを指定する。そのため、次のステップＳ１２１Ｂで、ユーザから更新を行う旨の指定がなされたか否かを判定する。更新を行う旨の指定がなされた場合は、ステップＳ１２１Ｂの判定が肯定判定となり、ステップＳ１２０へ移行する。一方、更新を行わない旨の判定がなされた場合、ステップＳ１２１Ｂの判定が否定判定となり、ステップＳ１３０へ移行する。このような形態とすることにより、上述した形態と同様に、ユーザの好みに応じた設定情報４３が、推奨設定情報によりユーザの好みと異なる設定に更新されてしまうことを抑制することができる。
【０１０１】
また、上記実施形態に限定されず、推奨設定情報を設定情報４３として用いるか否かについてユーザによる設定が可能であってもよい。例えば、カラーバランスの調整値は、自動的に更新（設定）されてほしいが、ＡＦのモードは、自身で設定した状態のままと下ユーザ等を考慮し、推奨設定情報の種類毎に、推奨設定情報を設定情報４３として用いるか否かについてユーザによる設定が可能であってもよい。
【０１０２】
また、例えば、撮像装置１２が新製品である場合等、設定情報データベース８５を構成する設定情報４３及び属性情報６３の組合せの数が比較的少なく、適切な推奨設定情報を導出できない懸念がある場合がある。このような場合、サーバ装置１６は、設定情報４３及び属性情報６３の組合せの数が設定情報データベース８５を得るのに十分な数となるまで、撮像装置１２のメーカ等が設定した初期値を推奨設定情報として用いてもよい。
【０１０３】
また、上記実施形態では、設定情報４３について、一般的に、ユーザ自身により設定が可能な設定情報を例示したが、設定情報４３は、一般的に、ユーザ自身が設定できない、またはユーザによる設定が禁止されている設定の設定情報（内部パラメータ）も含んでいてもよい。このような内部パラメータとしては、例えば、情報処理装置１４と撮像装置１２との接続を打ち切るタイムアウト時間等が挙げられる。例えば、情報処理装置１４と撮像装置１２との接続においてタイムアウトを起こす頻度が高い場合、タイムアウト時間として通常よりも長い時間を設定することが好ましい。
【０１０４】
また、上記実施形態では、属性情報６３が情報処理装置１４の記憶部６２に記憶されており、情報処理装置１４が記憶部６２から属性情報６３を取得する形態について説明したが、属性情報６３が記憶されている装置は特に限定されない。例えば、設定情報４３と共に、撮像装置１２の記憶部４２に記憶されていてもよい。
【０１０５】
また、図１１に示すように、上記実施形態においてサーバ装置１６が有する導出部９４の機能を情報処理装置１４が有してもよい。この場合、情報処理装置１４が、サーバ装置１６の記憶部８４に記憶されている設定情報データベース８５から、属性情報６３に応じた推奨設定情報を導出すればよい。このように、本実施形態の撮像システム１０において、導出部９４が備えられる装置は特に限定されず、また、設定部７４などの他の機能部についても備えられる装置は特に限定されない。また、情報処理装置１４の上述した全ての機能を撮像装置１２が内蔵してもよい。また、情報処理装置１４が、スマートフォンに備えられたカメラの機能のように、撮像部２２を備えて撮像機能を有する場合、情報処理装置１４は、自身の撮像部２２による撮影に関する設定について、上述した設定情報設定処理（図７参照）を適用してもよい
【０１０６】
また、上記実施形態でＣＰＵがソフトウェア（プログラム）を実行することにより実行した設定情報設定処理及び推奨設定情報導出処理を、ＣＰＵ以外の各種のプロセッサが実行してもよい。この場合のプロセッサとしては、ＦＰＧＡ（Field-Programmable Gate Array）等の製造後に回路構成を変更可能なＰＬＤ（Programmable Logic Device）、及びＡＳＩＣ（Application Specific Integrated Circuit）等の特定の処理を実行させるために専用に設計された回路構成を有するプロセッサである専用電気回路等が例示される。また、設定情報設定処理及び推奨設定情報導出処理を、これらの各種のプロセッサのうちの１つで実行してもよいし、同種又は異種の２つ以上のプロセッサの組み合わせ（例えば、複数のＦＰＧＡ、及びＣＰＵとＦＰＧＡとの組み合わせ等）で実行してもよい。また、これらの各種のプロセッサのハードウェア的な構造は、より具体的には、半導体素子等の回路素子を組み合わせた電気回路である。
【０１０７】
また、上記実施形態では、設定情報設定処理プログラム及び推奨設定情報導出処理プログラムの各々がＲＯＭ５０Ｂ及びＲＯＭ８０Ｂに予め記憶（インストール）されている態様を説明したが、これに限定されない。設定情報設定処理プログラム及び推奨設定情報導出処理プログラムの各々は、ＣＤ−ＲＯＭ（Compact Disk Read Only Memory）、ＤＶＤ−ＲＯＭ（Digital Versatile Disk Read Only Memory）、及びＵＳＢ（Universal Serial Bus）メモリ等の記録媒体に記録された形態で提供されてもよい。また、設定情報設定処理プログラム及び推奨設定情報導出処理プログラムの各々は、ネットワークを介して外部装置からダウンロードされる形態としてもよい。
【符号の説明】
【０１０８】
１０  撮像システム
１２、１２１〜１２ｎ  撮像装置
１４、１４１〜１４ｎ  情報処理装置
１６  サーバ装置
１９  ネットワーク
２０  撮影制御部
２０Ａ、５０Ａ、８０Ａ  ＣＰＵ
２０Ｂ、５０Ｂ、８０Ｂ  ＲＯＭ
２０Ｃ、５０Ｃ、８０Ｃ  ＲＡＭ
２２  撮像部
２４  画像メモリ
２６  画像処理部
２８、５６  表示制御部
３０、５８  表示部
３２、５２  受付Ｉ／Ｆ
３４、５４  操作部
３６  メディアＩ／Ｆ
３８  メモリカード
４０、６０、８２  Ｉ／Ｆ部
４２、６２、８４  記憶部
４３  設定情報
４９、６９、８９  バス
５０  情報制御部
６３  属性情報
７０、９６  送信部
７２  取得部
７４  設定部
８０  処理制御部
８５  設定情報データベース
９０  受信部
９２  処理部
９４  導出部
【図１】
2019082654.tif 000003
【図２】
2019082654.tif 000004
【図３】
2019082654.tif 000005
【図４】
2019082654.tif 000006
【図５】
2019082654.tif 000007
【図６】
2019082654.tif 000008
【図７】
2019082654.tif 000009
【図８】
2019082654.tif 000010
【図９Ａ】
2019082654.tif 000011
【図９Ｂ】
2019082654.tif 000012
【図１０】
2019082654.tif 000013
【図１１】
2019082654.tif 000014
【手続補正書】
【提出日】令和2年4月13日(2020.4.13)
【手続補正１】
【補正対象書類名】特許請求の範囲
【補正対象項目名】全文
【補正方法】変更
【補正の内容】
【特許請求の範囲】
【請求項１】
撮像部により撮影を行うユーザに関する属性情報と、前記撮像部による撮影に関する設定を表す設定情報とを、予め定められたタイミングで送信する送信部を備えた情報処理装置と、
前記属性情報及び前記設定情報の組合せを複数組受信し、複数組の前記属性情報及び前記設定情報に基づいて、前記属性情報と前記設定情報との組合せの統計処理を行う処理部を備えたサーバ装置と、
推奨値の導出の対象となる属性情報に対応する前記設定情報の推奨値を、前記サーバ装置の前記処理部による統計処理結果から導出する導出部と、
前記導出部が導出した前記推奨値を、前記撮像部による撮影に関する前記設定情報として設定し、前記撮像部の撮影に関する設定がユーザにより変更されてから予め定められた期間内は、前記推奨値の設定を行わない設定部と、
を備えた撮像システム。
【請求項２】
前記送信部は、前記設定情報の初期設定を行う場合、前記推奨値の導出の対象となる属性情報を送信する、
請求項１に記載の撮像システム。
【請求項３】
前記属性情報は、前記撮影に関してユーザが行った操作の履歴から得られる特徴量を含む、
請求項１または請求項２に記載の撮像システム。
【請求項４】
前記設定部は、前記推奨値が、前記設定情報と異なる場合は、前記推奨値を設定し、前記撮像部の撮影に関する設定情報と同一の場合は、前記推奨値の設定を行わない、
請求項１から請求項３のいずれか１項に記載の撮像システム。
【請求項５】
前記処理部は、前記撮影を行う頻度が予め定められた頻度よりも低いユーザに関する前記属性情報と前記設定情報との組合せの重みを、他のユーザに関する前記属性情報と前記設定情報との組合せよりも低くして統計処理を行う、
請求項１から請求項４のいずれか１項に記載の撮像システム。
【請求項６】
記予め定められたタイミングは、前記撮像部による撮影に応じた累積量に基づくタイミングである、
請求項１から請求項５のいずれか１項に記載の撮像システム。
【請求項７】
前記導出部は、前記サーバ装置に備えられている、
請求項１から請求項６のいずれか１項に記載の撮像システム。
【請求項８】
前記導出部は、前記情報処理装置に備えられている、
請求項１から請求項６のいずれか１項に記載の撮像システム。
【請求項９】
前記属性情報は、ユーザの身体的な特徴に応じた情報、ユーザの性別に応じた情報、ユーザの年齢に応じた情報、及びユーザに関する地域性に応じた情報の少なくとも１つを含む、
請求項１から請求項８のいずれか１項に記載の撮像システム。
【請求項１０】
撮像部により撮影を行うユーザに関する属性情報と、前記撮像部による撮影に関する設定を表す設定情報とを、予め定められたタイミングで送信する送信部と、
前記属性情報及び前記設定情報の組合せを複数組受信し、複数組の前記属性情報及び前記設定情報に基づいて、前記属性情報と前記設定情報との組合せの統計処理を行うサーバ装置の統計処理結果から、推奨値の導出の対象となる属性情報の推奨値を導出する導出部と、
前記導出部が導出した前記推奨値を、前記撮像部による撮影に関する前記設定情報として設定し、前記撮像部の撮影に関する設定がユーザにより変更されてから予め定められた期間内は、前記推奨値の設定を行わない設定部と、
を備えた情報処理装置。
【請求項１１】
撮像部により撮影を行うユーザに関する属性情報と、前記撮像部による撮影に関する設定を表す設定情報とを、予め定められたタイミングで送信し、
前記属性情報及び前記設定情報の組合せを複数組受信し、複数組の前記属性情報及び前記設定情報に基づいて、前記属性情報と前記設定情報との組合せの統計処理を行うサーバ装置の統計処理結果から、推奨値の導出の対象となる属性情報の推奨値を導出し、
導出した前記推奨値を、前記撮像部による撮影に関する前記設定情報として設定し、
前記撮像部の撮影に関する設定がユーザにより変更されてから予め定められた期間内は、前記推奨値の設定を行わない、
処理を含む情報処理方法。
【請求項１２】
撮像部により撮影を行うユーザに関する属性情報と、前記撮像部による撮影に関する設定を表す設定情報とを、予め定められたタイミングで送信し、
前記属性情報及び前記設定情報の組合せを複数組受信し、複数組の前記属性情報及び前記設定情報に基づいて、前記属性情報と前記設定情報との組合せの統計処理を行うサーバ装置の統計処理結果から、推奨値の導出の対象となる属性情報の推奨値を導出し、
導出した前記推奨値を、前記撮像部による撮影に関する前記設定情報として設定し、
前記撮像部の撮影に関する設定がユーザにより変更されてから予め定められた期間内は、前記推奨値の設定を行わない、
処理を含む処理をコンピュータに実行させるための情報処理プログラム。
【手続補正２】
【補正対象書類名】明細書
【補正対象項目名】０００７
【補正方法】変更
【補正の内容】
【０００７】
上記目的を達成するために、本開示の撮像システムは、撮像部により撮影を行うユーザに関する属性情報と、撮像部による撮影に関する設定を表す設定情報とを、予め定められたタイミングで送信する送信部を備えた情報処理装置と、属性情報及び設定情報の組合せを複数組受信し、複数組の属性情報及び設定情報に基づいて、属性情報と設定情報との組合せの統計処理を行う処理部を備えたサーバ装置と、推奨値の導出の対象となる属性情報に対応する設定情報の推奨値を、サーバ装置の処理部による統計処理結果から導出する導出部と、導出部が導出した推奨値を、撮像部による撮影に関する設定情報として設定し、撮像部の撮影に関する設定がユーザにより変更されてから予め定められた期間内は、推奨値の設定を行わない設定部と、を備える。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１８
【補正方法】変更
【補正の内容】
【００１８】
上記目的を達成するために、本開示の情報処理装置は、撮像部により撮影を行うユーザに関する属性情報と、撮像部による撮影に関する設定を表す設定情報とを、予め定められたタイミングで送信する送信部と、属性情報及び設定情報の組合せを複数組受信し、複数組の属性情報及び設定情報に基づいて、属性情報と設定情報との組合せの統計処理を行うサーバ装置の統計処理結果から、推奨値の導出の対象となる属性情報の推奨値を導出する導出部と、導出部が導出した推奨値を、撮像部による撮影に関する設定情報として設定し、撮像部の撮影に関する設定がユーザにより変更されてから予め定められた期間内は、推奨値の設定を行わない設定部と、を備える。
【手続補正６】
【補正対象書類名】明細書
【補正対象項目名】００１９
【補正方法】削除
【補正の内容】
【手続補正７】
【補正対象書類名】明細書
【補正対象項目名】００２０
【補正方法】変更
【補正の内容】
【００２０】
上記目的を達成するために、本開示の情報処理方法は、撮像部により撮影を行うユーザに関する属性情報と、撮像部による撮影に関する設定を表す設定情報とを、予め定められたタイミングで送信し、属性情報及び設定情報の組合せを複数組受信し、複数組の属性情報及び設定情報に基づいて、属性情報と設定情報との組合せの統計処理を行うサーバ装置の統計処理結果から、推奨値の導出の対象となる属性情報の推奨値を導出し、導出した推奨値を、撮像部による撮影に関する設定情報として設定し、撮像部の撮影に関する設定がユーザにより変更されてから予め定められた期間内は、推奨値の設定を行わない、処理を含む。
【手続補正８】
【補正対象書類名】明細書
【補正対象項目名】００２１
【補正方法】変更
【補正の内容】
【００２１】
上記目的を達成するために、本開示の情報処理プログラムは、撮像部により撮影を行うユーザに関する属性情報と、撮像部による撮影に関する設定を表す設定情報とを、予め定められたタイミングで送信し、属性情報及び設定情報の組合せを複数組受信し、複数組の属性情報及び設定情報に基づいて、属性情報と設定情報との組合せの統計処理を行うサーバ装置の統計処理結果から、推奨値の導出の対象となる属性情報の推奨値を導出し、導出した推奨値を、撮像部による撮影に関する設定情報として設定し、撮像部の撮影に関する設定がユーザにより変更されてから予め定められた期間内は、推奨値の設定を行わない、処理を含む処理をコンピュータに実行させるためのものである。
【手続補正９】
【補正対象書類名】明細書
【補正対象項目名】００２２
【補正方法】変更
【補正の内容】
【００２２】
また、本開示の情報処理装置は、撮像部により撮影を行うユーザに関する属性情報と、撮像部による撮影に関する設定を表す設定情報とを、予め定められたタイミングで送信し、属性情報及び設定情報の組合せを複数組受信し、複数組の属性情報及び設定情報に基づいて、属性情報と設定情報との組合せの統計処理を行うサーバ装置の統計処理結果から、推奨値の導出の対象となる属性情報の推奨値を導出し、導出した推奨値を、撮像部による撮影に関する設定情報として設定し、撮像部の撮影に関する設定がユーザにより変更されてから予め定められた期間内は、推奨値の設定を行わないように構成されているプロセッサを有する。
【手続補正１０】
【補正対象書類名】明細書
【補正対象項目名】００２３
【補正方法】削除
【補正の内容】
【国際調査報告】
2019082654.tif 000015
2019082654.tif 000016
2019082654.tif 000017